(57)【要約】【課題】台車との接地面、棺との接地面が十字状に形成されており、安定した状態で載置支持できると共に、燃焼ガスの流通がよくなり燃焼効率の優れた火葬炉におけるロストルを提供する。【解決手段】台車７と棺８の間に空間部１０を形成して燃焼を効率よくする火葬炉９におけるロストル１である。前後、左右方向に突出する突出板２，３、４，５により平面から見て十字形状に形成されている。少なくとも左右突出板４，５の底面部に開口部６，６を設けてある。【選択図】図４
2010181119.tif 000002
【特許請求の範囲】
【請求項１】
台車と棺の間に空間部を形成して燃焼を効率よくする火葬炉における耐火物からなるロストルであって、前後、左右方向に突出する突出板により平面視で十字状に形成されており、少なくとも左右突出板の底面部に開口部を設けたことを特徴とする火葬炉におけるロストル。
【請求項２】
前記の前後突出板の横幅寸法と左右突出板の横幅寸法が異なっていることを特徴とする請求項１に記載の火葬炉におけるロストル。
【請求項３】
前記の前後突出板の横幅寸法と左右突出板の横幅寸法が同じであることを特徴とする請求項１に記載の火葬炉におけるロストル。
【発明の詳細な説明】
【技術分野】
【０００１】
本発明は、火葬炉の台車上に配置して棺を載置するロストルに関するもので、さらに詳しくは、有害成分の発生しない耐火物からなり、燃焼ガスの流通を良くして燃焼効率を上げる火葬炉におけるロストルに関するものである。
【背景技術】
【０００２】
従来、火葬炉においては、台車上に複数個のロストルを配置し、そのロストル
の上に棺を載置し、台車と棺の間に燃焼ガスを流通させるための空間部を作り燃焼効率を良くすることが行われている。そのロストルとしては、例えば、図９、図１０に示すように、正面が三角形、側面が長方形で中央部分に骨筋３２を設けた三角柱体からなる線状の耐火骨組体３３のロストル３１が知られており、首部や頭部または腰部などの位置するところに単数または複数配置している（例えば、特許文献１，２参照）。
【０００３】
その線状の耐火骨組体としては、一般的に鉄やステンレスなどの金属材料が用いられている。鉄製ロストルの場合は、加熱および冷却による伸縮が大きく、繰り返し長く使用していると発錆が生じたり、表面に黒い酸化膜が形成され、それが剥がれ落ちるので見栄えが悪くなるばかりでなく、黒い酸化膜が遺骨に付着することがある。わが国においては、火葬後に骨上げを行い骨壷に収めるという風習があることから、骨をきれいに残すことが重要視されており、遺骨に黒色の金属片が混入していると遺族に不快感を与えてしまうという問題点があった。
【０００４】
ステンレス製ロストルの場合は、鉄製ロストルよりも耐久性に富み、長期間に亘って使用が可能であり、酸化膜の剥がれ落ちも少ないことから、多く採用されてきたが、近時、ステンレスが燃焼して灰になるとステンレス成分のクロムが毒性を持つ六価クロムに生成されるといわれている。
【０００５】
この六価クロムは強い毒性を有し、接触すると皮膚炎や潰瘍の原因になるだけでなく、体内に蓄積すれば発癌性もあるとされており、飛散した六価クロムは火葬灰に含まれている可能性があり、火葬灰を捕集して清掃する作業員がこれを吸い込むと健康を害する恐れがあることから今後使用されなくなる。さらに、上記鉄製ロストルおよびステンレス製ロストルともに、比較的長い三角柱体で形成されており、配置する時や個数の調整時など取り扱いにくいといった問題点があった。
【先行技術文献】
【特許文献】
【０００６】
【特許文献１】実公昭６０−３９６１５号公報
【特許文献２】実公昭６１−１５３８１号公報
【発明の概要】
【発明が解決しようとする課題】
【０００７】
本発明は、上記のような問題を解決することを課題として研究開発されたもので、酸化膜の付着や六価クロムの発生が減少すると共に、取り扱いが容易であり、燃焼ガスの流通を良くし燃焼効率が向上する火葬炉におけるロストルを提供することを目的とする。
【課題を解決するための手段】
【０００８】
上記の課題を解決し、その目的を達成する手段として、本発明は、台車と棺の間に空間部を形成して燃焼を効率よくする火葬炉における耐火物からなるロストルであって、前後、左右方向に突出する突出板により平面視で十字状に形成されており、少なくとも左右突出板の底面部に開口部を設けたことを特徴とする火葬炉におけるロストルを開発し、採用した。
【０００９】
また、本発明は、火葬炉におけるロストルにおいて、前後突出板の横幅寸法と左右突出板の横幅寸法が異なっていることを特徴とする火葬炉におけるロストル、および前後突出板の横幅寸法と左右突出板の横幅寸法が同じであることを特徴とする火葬炉におけるロストルを開発し、採用した。
【発明の効果】
【００１０】
本発明は耐火物からなるロストルであり、前後、左右方向に突出する突出板で平面から見て十字状に形成されているから、台車および棺との接地面が十字状となり、棺をしっかり支持して載置することができる。また、左右方向に突出する突出板の底面部に開口部を設けてあるから、バーナーから発する火炎、燃焼ガスが開口部を通じて流れることになり燃焼効率が極めてよくなる。さらに、平面的なブロック体などのロストルに比べて熱吸収されにくく燃焼効果が損なわれることがない。
【００１１】
また、前後突出板の横幅寸法と左右突出板の横幅寸法が異なっているロストルを使用することにより、配置場所や重力のかかる方などを考慮して配置することができる。さらに、前後突出板の横幅寸法と左右突出板の横幅寸法が同じロストルを用いることにより、前後、左右バランスが取れた状態で支持して載置することができる。
【図面の簡単な説明】
【００１２】
【図１】本発明の第１実施の形態を示すロストルの正面図である。
【図２】同上の平面図である。
【図３】同上の右側面図である。
【図４】同上の斜視図である。
【図５】使用状態を示す簡略平面図である。
【図６】使用状態を示す簡略側面図である。
【図７】左右突出版の底面部に設けた開口部に移動工具を係合した状態の斜視図である。
【図８】本発明の第２実施の形態を示すロストルの斜視図である。
【図９】従来のロストルの斜視図である。
【図１０】従来のロストルを並設した状態の斜視図である。
【発明を実施するための形態】
【００１３】
以下に、本発明の第１実施の形態を図１〜図７に基づいて説明すれば、１は耐火煉瓦や不定形耐火物のキャスタブルなどからなるロストルであり、前後、左右方向に突出する突出板２，３、４，５を設け、その各突出板間に鉤状の空間部２ａ，３ａ、４ａ，５ａを形成し、平面から見て十字状になるように一体形成されている。この十字状は、前後突出板２，３より左右突出板４，５の突出長さを長く形成してある。６は左右突出板４，５の底面部に設けた半円形の開口部であり、火炎および燃焼ガスを通過できるようになっている。
【００１４】
上記のロストル１の寸法例としては、図１における正面図において、左右突出板４、５の横幅寸法Ｗ１が２６０ｍｍ、高さ寸法Ｈ１が１２０ｍｍ、厚さ寸法Ｔ１が４０ｍｍ、半円形の開口部６の寸法がＲ２５である。また、図３における右側面図において、前後突出板２，３の横幅寸法Ｗ２が１５０ｍｍ、高さ寸法Ｈ２が１２０ｍｍ、厚さ寸法Ｔ２が４０ｍｍである。
【００１５】
このように構成した本発明の第１実施形態の使用例を作用効果と共に説明する。図５，６に示すように、台車７の上面の首部や頭部、腰部などの位置するところにロストル１を単数または複数個配置し、その上に棺８が載置される。この時、台車７の上面はロストル１の底面十字状１ｂと、棺８の下面はロストル１の平面十字状１ａと接地することから、安定した状態でしっかり棺８を支持して載置することができる。
【００１６】
そして火葬炉９に設置されているバーナー（図示せず）からの火炎による燃焼ガスにより棺８や遺体が燃焼されるが、図６に示すように、ロストル１を配置したことにより、台車７と棺８の間に空間部１０が形成され、火炎、燃焼ガスが流通して効率よく燃焼させることができる。しかも、左右突出板４，５の底面部には開口部６，６を設けてあるから、この開口部６，６を介して突出板２，３、４，５間の鉤状の空間部２ａ，３ａ、４ａ，５ａに流れることになり、より一層燃焼ガスの流れを良くして熱効率が向上して省エネにもなる。
【００１７】
また、火葬後、ロストル１が熱を持ち熱くて手で触れない時においても、図７に示すように、移動工具１１の先端屈曲部１２，１２を開口部６，６に差し込んで係合すれば、手で触れない時移動させることができて便利である。
【００１８】
さらに、ロストル１は耐火物であるから、鉄製ロストルのような黒い酸化膜が剥がれ遺骨に付着したりすることがなく、またステンレス製ロストルのように、毒性を持つ六価クロムの発生がなくなり、作業員の健康を害することなく、かつ火葬場の環境衛生に悪影響を及ぼすことがない。
【００１９】
つぎに、図８に示すのは本発明の第２実施の形態を示しており、上記第１実施の形態と相違しているのは、前後突出板２２，２３の横幅寸法と左右突出板２４，２５の横幅寸法を同じとした点である。すなわち、上記実施の形態１で述べた前後、左右方向に突出する突出板２２，２３、２４，２５により平面から見て十字状に形成されていると共に、左右突出板２４，２５の底面部に開口部２６，２６を設けた点など全て第１実施の形態と同一である。
【００２０】
このように構成された火葬炉におけるロストル２１は、上記第１実施の形態で述べた使用状態と同じように使用し、第１実施の形態と同様の作用、効果を奏すると共に、どのように配置しても、前後、左右がバランスの取れたロストル２１として有効に使用できるものである。
【００２１】
以上、本発明の主要な実施の形態について説明したが、本発明はこれらの実施の形態に限定されるものではなく、例えば、様々な形で複数個所に開口部を設けることもあり、また前後突出板と左右突出板の厚さを変えたりすることもあり、本発明の目的を達成でき、かつ本発明の要旨を逸脱しない範囲内において種々の設計変更が可能であることは言うまでもない。
【産業上の利用可能性】
【００２２】
本発明は、火葬炉の台車上に配置し、棺を載置支持して台車と棺の間に燃焼ガスの流通が自由になる空間部を形成する有害成分の発生しない耐火物ロストルとして好適に利用できる。
【符号の説明】
【００２３】
１    ロストル
２    前突出板              
３    後突出板
４    左突出板
５    右突出板
６    開口部
７    台車
８    棺
１０  空間部
【図１】
2010181119.tif 000003
【図２】
2010181119.tif 000004
【図３】
2010181119.tif 000005
【図４】
2010181119.tif 000006
【図５】
2010181119.tif 000007
【図６】
2010181119.tif 000008
【図７】
2010181119.tif 000009
【図８】
2010181119.tif 000010
【図９】
2010181119.tif 000011
【図１０】
2010181119.tif 000012